(57)【特許請求の範囲】
【請求項１】
物品に設けられる電子タグとの無線通信を行うのに用いられることができるリーダ用アンテナが棚板に設けられた物品棚において、
上記棚板が透明棚板であり、
上記リーダ用アンテナが、上記透明棚板に設けられたアンテナパターンの薄膜によって構成され、
上記透明棚板のうちの上記アンテナパターン薄膜が形成されている部分における透過率が６０％以上であり、
上記アンテナパターン薄膜の抵抗値が７０オーム以下であり、
上記透明棚板のうちの上記アンテナパターン薄膜が形成されている部分と、上記透明棚板のうちの上記アンテナパターン薄膜が形成されていない部分との透過率の差が、３０％以下であり、
上記アンテナパターン薄膜が、表面抵抗率７オーム／□以下の導電性を有する金属酸化物薄膜であることを特徴とする、リーダ用アンテナ付き棚板を備えた物品棚。
【請求項２】
上記金属酸化物薄膜が酸化インジュウムスズ薄膜であることを特徴とする、請求項１に記載の物品棚。
【請求項３】
上記透明棚板の厚みが２０ｍｍ以下であることを特徴とする、請求項１または２に記載の物品棚。
【請求項４】
上記透明棚板が複数枚の基板を貼り合わせることによって構成され、
これら複数枚の基板のうちの少なくとも１枚の基板の少なくとも一方の面に上記アンテナパターン薄膜が形成されていることを特徴とする、請求項１、２または３に記載の物品棚。
【請求項５】
上記透明棚板が１枚の基板から構成され、
上記基板の少なくとも一方の面に上記アンテナパターン薄膜が形成されていることを特徴とする、請求項１、２または３に記載の物品棚。
【請求項６】
上記透明棚板がガラスから構成されていることを特徴とする、請求項１〜５のうちのいずれか１つに記載の物品棚。
【発明の詳細な説明】
【技術分野】
【０００１】
本発明は、物品に設けられた電子タグとの無線通信を行うのに用いることができるリーダ用アンテナが棚板に設けられた物品棚、いわゆる、リーダ用アンテナ付き棚板を備えた物品棚に関するものである。
【背景技術】
【０００２】
近年、商品などの物品の入出庫、在庫、販売などの管理方法として、従来の荷札、棚札、バーコードなどを用いる方法に代えて、大容量の情報を非接触で記録することができるＲＦＩＤ（Radio Frequency Identification）システムが採用されつつある。このＲＦＩＤシステムは、物品側に取付けられる電子タグと、この電子タグと無線通信により交信するためのアンテナを備えたリーダライタとから構成されている。この電子タグは、無線タグまたはＩＣタグとも呼ばれていて、情報が記録されるメモリが組み込まれたＩＣチップと、小型アンテナとをそれぞれ含む通信回路から成っている。また、リーダライタは通常は固定局であるから、上記リーダライタ用アンテナは一般的には固定されている。そして、物品またはその収納ケースなどに取り付けられた電子タグがリーダライタ用アンテナに接近すると、両者の間で情報の交換を行うことができる。
【０００３】
通常のリーダライタ用アンテナは、例えばプリント基板に印刷されて不透明な筐体内に収容されている。一方、装飾品や衣料品のような商品は、ガラス製ショーケースなどのガラス製物品棚に配置されて販売されることが多い。このために、最近では、このようなショーケースなどの物品棚の棚板にリーダライタ用アンテナを設けるとともに、商品に電子タグを取付けて、ショーケースなどの物品棚に対する商品の出入りを管理することも行われるようになってきている。
【発明の開示】
【発明が解決しようとする課題】
【０００４】
しかし、上述のような従来の技術には、つぎの（１）項および（２）項に記載するような問題点がある。
（１）ショーケースなどのほぼ透明な物品棚のほぼ透明な棚板にリーダライタ用アンテナを取り付けると、このリーダライタ用アンテナが不透明であるとともにかなりの面積を占めてしまうから、顧客などの視野がリーダライタ用アンテナによって遮られ、このために、物品棚の棚板上の商品が顧客から見えにくくなり、また、ショーケースなどのほぼ透明な物品棚の外観を損ねる。
（２）ショーケースなどのほぼ透明な物品棚の天板などのほぼ透明な表面板部の内周または外周にリーダライタ用アンテナとしてのループアンテナを形成した場合でも、このループアンテナが不透明で顧客には目立つから、顧客は、このループアンテナに目が行きやすく、このために、商品に注意を集中しにくくて、装飾品などの比較的小さな商品が見にくくなり、透明なショーケースなどのほぼ透明な物品棚の外観も良くない。
【０００５】
本発明は、上記（１）項および（２）項に記載した問題点を解決するために発明されたものであって、リーダライタ用アンテナなどのリーダ用アンテナによって視野が実質的に遮られることがない、リーダアンテナ付き棚板を備えた物品棚を提供することを目的としている。
【課題を解決するための手段】
【０００６】
本発明は、物品に設けられる電子タグとの無線通信を行うのに用いられることができるリーダ用アンテナが棚板に設けられた物品棚において、上記リーダ用アンテナが、上記棚板に設けられたアンテナパターンの薄膜によって構成され、上記棚板のうちの上記アンテナパターン薄膜が形成されている部分における透過率が６０％以上であり、上記アンテナパターン薄膜の抵抗値（すなわち、アンテナパターン薄膜の両端子間の抵抗値）が７０オーム以下であることを特徴とする、リーダ用アンテナ付き棚板を備えた物品棚に係るものである。この場合、上記リーダ用アンテナがリーダライタのライタ用アンテナを兼用しているのが好ましく、また、上記リーダライタのうちのリーダライタ用アンテナ以外の部分（換言すれば、リーダライタ本体）も上記物品棚に設けられているのが好ましい。
【０００７】
本発明においては、上記棚板のうちの上記アンテナパターン薄膜が形成されている部分と、上記棚板のうちの上記アンテナパターン薄膜が形成されていない部分との透過率の差が、３０％以下（透過率自体の値）であるのが好ましい。この場合、アンテナパターン薄膜が形成されている部分の透過率が、アンテナパターン薄膜が形成されていない部分の透過率よりも小さくてよい。
【０００８】
また、本発明においては、上記アンテナパターン薄膜が、表面抵抗率７オーム／□以下の導電性を有する金属酸化物薄膜や金属薄膜であってよい。そして、上記金属酸化物薄膜は、酸化インジュウムスズ（ＩＴＯ）、二酸化スズ（ＳｎＯ２）などのうちのいずれか１種または複数種から構成された透明導電膜であってよく、また、上記金属薄膜は、Ａｕ膜、Ａｇ膜、Ｐｔ膜、Ｃｕ膜などのうちのいずれか１種または複数種から構成されたものであってよいが、本発明の目的を効果的に達成するために、酸化インジュウムスズ（ＩＴＯ）薄膜であるのが好ましい。
【０００９】
また、本発明においては、棚板は、積載物に対する物品棚の耐荷重の点では、厚い方が好ましいが、本発明の目的を効果的に達成するためには、それぞれの棚板の厚みが２０ｍｍ以下であるのが好ましく、１５ｍｍ以下であるのがさらに好ましい。
【００１０】
また、本発明においては、上記棚板が複数枚の基板を貼り合わせることによって構成され、これら複数枚の基板のうちの少なくとも１枚の基板の少なくとも一方の面（換言すれば、内側面および／または外側面）に上記アンテナパターン薄膜が形成されていてよい。
【００１１】
また、本発明においては、上記棚板が１枚の基板から構成され、上記基板の少なくとも一方の面に上記アンテナパターン薄膜が形成されていてもよい。
【００１２】
さらに、本発明においては、上記棚板の基板は、ソーダライムガラス、パイレックス（登録商標）ガラスなどのほぼ透明なガラス、アクリル樹脂などのほぼ透明な合成樹脂のうちのいずれか１種または複数種から構成されることができるが、本発明の目的を効果的に達成するために、ソーダライムガラス、パイレックス（登録商標）ガラスなどのほぼ透明なガラスから構成されているのが好ましい。また、物品棚をそれぞれ構成している板材（左右の側板、背板、天板、底板、仕切り板など）や棒材（桟部材その他の支持部材、補強部材など）のうちの少なくとも１つまたは複数もしくは全部が、上記棚板の場合と同様に、ガラスおよび／または合成樹脂（好ましくはガラス）からほぼ透明に構成されていてよい。
【発明の効果】
【００１３】
本発明によれば、物品棚の棚板上に配置される物品に設けられた電子タグとの無線通信を行うのに用いることができるリーダ用アンテナが、棚板に設けられている。したがって、リーダ用アンテナが、この棚板やその上側または下側の棚板に配置される物品に設けられた電子タグと接近して配置されることになるので、両者の交信を効率的に行うことができる。
【００１４】
また、リーダ用アンテナを構成するアンテナパターン薄膜と、このアンテナパターン薄膜が設けられた棚板とが実質的に透明であるから、リーダ用アンテナが設けられた棚板を備えたショーケースなどの物品棚の棚板上に陳列される物品を、視野を遮られることなく、外部から見ることが可能であり、また、リーダ用アンテナが棚板に設けられることによってショーケースなどの物品棚の外観が実質的に損なわれることもない。
【００１５】
また、請求項２に記載の発明によれば、棚板のうちのアンテナパターン薄膜が形成されている部分と、形成されていない部分との透過率の差が小さいから、顧客はアンテナパターン薄膜に目が行きにくくなり、このために、アンテナパターン薄膜が顧客には目立たなくなる。
【００１６】
また、請求項３〜５、７および８に記載の発明によれば、請求項１に記載の構成を比較的簡単な構成でもって効果的に実現することができる。
【発明を実施するための最良の形態】
【００１７】
つぎに、本発明をショーケースにそれぞれ適用した第１〜第４の実施例を、「（１）第１の実施例」、「（２）第２〜第４の実施例」および「（３）性能テスト」に項分けして、図面を参照しつつ説明する。
【００１８】
（１）第１の実施例
この第１の実施例におけるショーケース１は、図１および図２に示すように、ガラスからほぼ透明に構成されているのが好ましい向かって左側の側板２と、ガラスからほぼ透明に構成されているのが好ましい向かって右側の側板３と、ガラスからほぼ透明に構成されているのが好ましい背面板４と、ガラスからほぼ透明に構成されているのが好ましい天板５と、ガラスからほぼ透明に構成されているのが好ましくかつ最下段の棚板を兼用している底板６とから構成された箱蓋形状を有している。なお、ショーケース１は、ガラスからほぼ透明に構成されているのが好ましい前面板（図示せず）を備えていてもよい。また、背面板４および／または上記前面板は、開閉用扉であってもよく、このような開閉用扉は、左右一対の引き戸構造であってよい。
【００１９】
ショーケース１は、好ましくはガラスからほぼ透明に構成されている上段の棚板７と、好ましくはガラスからほぼ透明に構成されている中段の棚板８と、下段の上記棚板６とをさらに備えている。そして、これらの棚板６〜８は、左右一対の側端部を左右一対の側板２、３に支持されることができ、この支持に代えてまたはこの支持に加えて、後端部および／または前端部を背面板４および／または上記前面板に支持されることができる。このような支持は、左右一対の側板２、３、背面板４および上記前面板のうちの少なくとも１つに接着剤などによる接着などによって取付けられた桟部材（換言すれば、棒状などの支持部材）９によって達成することができる。図示の実施例においては、具体的には、棚板６〜８は、シリコーン接着剤、エポキシ接着剤などのうちの少なくとも一種から成るほぼ透明な接着剤によって左右一対の側板２、３のそれぞれの内側面にそれぞれ接着固定された左右一対のほぼ四角柱形状の桟部材９上に左右一対の側端部をそれぞれ載置させることによって、左右一対の側板２、３にそれぞれ取付け固定されている。
【００２０】
棚板６〜８には、これらの棚板６〜８上に展示される商品、すなわち物品（図示せず）に取付けられた電子タグ（図示せず）と無線通信により交信するためのリーダライタ用アンテナ１１がそれぞれ設けられている。また、物品棚１には、リーダライタ用アンテナ１１と電気信号などの情報をやりとりするためのリーダライタ本体（図示せず）が据え付けられていてよく、このようなリーダライタ本体は、左右一対の側板２、３のうちの何れか一方の外側面、天板５の上面、棚板６〜８のうちのいずれか１枚の上面などに取付けられることができる。
【００２１】
リーダライタ用アンテナ１１は、棚板６〜８上に展示される商品に直接に接触する機会を減らすために、棚板６〜８の上面には形成されていないのが好ましく、図示の実施例においては、棚板６〜８の下面にそれぞれ形成されている。なお、図示の実施例においては、棚板６〜８のそれぞれの構成がアンテナパターン薄膜１１の形状を含めて実質的に互いに同一であるが、アンテナパターン薄膜１１の形状などの点で互いに構成が異なる棚板（例えば、図３、図４および／または図５に示す棚板）８を取り混ぜて用いることもできる。
【００２２】
棚板６〜８に設けられているリーダライタ用アンテナ１１は、ワンループなどのループ型のものであってよく、電磁結合方式の電子タグに対応したほぼ透明なアンテナパターン薄膜からそれぞれ構成されている。そして、それぞれのアンテナパターン薄膜１１は、棚板６〜８の下面にその外周に沿ってほぼ長方形状（ただし、切れ目１０を有するほぼ長方形のほぼ枠型の形状）のほぼループ形状に形成されたＩＴＯ薄膜から成っている。このＩＴＯ薄膜１１は、このほぼループ形状の部分の両端部（すなわち、切れ目１０の両側部分）に連設された一対の端子部分１１ａ、１１ｂを備えている。そして、これら一対の端子部分１１ａ、１１ｂは、適当なリード線（図示せず）などによって前記リーダライタ本体に電気的に接続される。なお、図示の実施例においては、ＩＴＯ薄膜１１のほぼループ形状の部分は、ほぼ等幅に形成され、また、一対の端子部分１１ａ、１１ｂも、必要に応じて、このほぼループ形状の部分とほぼ等幅に形成されている。
【００２３】
つぎに、このＩＴＯ薄膜１１の作製方法を説明すると、まず、厚さ１０ｍｍのガラス基板（透過率約９２％）の表面全体にスパッタリング法によってＩＴＯ薄膜を成膜した。ついで、アンテナパターン薄膜１１に合わせたマスクを上記ＩＴＯ薄膜上に設けてから、Ｈ２０、ＨＣｌおよびＨＮＯ３の１：１：０．１６の混合液から成る４５℃のエッチング液でもって、上記ＩＴＯ薄膜を必要なアンテナパターン部分を残して部分的にエッチング除去した。
【００２４】
このようにして得られた図２に示すような棚板６〜８を備えた図１に示すショーケース１によれば、ほぼ透明なショーケース１のほぼ透明な棚板６〜８上に展示される装飾品や衣料品などをＲＦＩＤシステムによって効率良く管理することができる。しかも、リーダライタ用アンテナ１１がほぼ透明な棚板６〜８に設けられているにもかかわらず、ほぼ透明な棚板６〜８、ひいてはほぼ透明なショーケース１の外観が損なわれることがなく、また、リーダライタ用アンテナ１１が顧客の視線を遮ることもない。
【００２５】
（２）第２〜第４の実施例
棚板６〜８に設けられるリーダライタ用アンテナ１１を構成するアンテナパターン薄膜の形状などの構成は、図１および図２に示す第１の実施例のものに限定されるものではなく、図３〜図５に示す第２〜第４の実施例によって例示するように各種の変更および修正が可能である。なお、図３〜図５に示す第２〜第４の実施例におけるショーケースは、以下に記載する点を除いて、上述の第１の実施例におけるショーケース１と実質的に同一の構成であってよい。したがって、図３〜図５において、図１および図２と共通の部分には、同一の符号を付してその説明を必要に応じて省略する。また、以下の記載においては、棚板８についてのみ説明するが、残りの棚板６、７も、棚板８と実質的に同一の構成であってよい。
【００２６】
まず、図３に示す第２の実施例における棚板８について説明すると、この棚板８のアンテナパターン薄膜１１のほぼループ形状の部分は、その幅が部分的に異なっている。図示の実施例においては、具体的には、アンテナパターン薄膜１１のほぼループ形状の部分のうちの背面板４側とは反対側の端部に沿って延びるアンテナパターン部分１１ｃの幅が、アンテナパターン薄膜１１のほぼループ形状の部分のうちの他の部分の幅に較べて大きくなっている。なお、この場合とは逆に、ほぼループ形状の部分のうちの背面板４側の端部に沿って延びるアンテナパターン部分の幅が、アンテナパターン薄膜１１のほぼループ形状の部分のうちの他の部分の幅に較べて大きくなっていてもよい。
【００２７】
つぎに、図４に示す第３の実施例における棚板８について説明すると、このアンテナパターン薄膜１１のほぼループ形状の部分は、ほぼ長方形状ではなくて、部分的に複雑な形状になっている。図示の実施例においては、具体的には、アンテナパターン薄膜１１のほぼループ形状の部分のうちの背面板４側の端部とは反対側の端部に沿って延びるアンテナパターン部分１１ｃが、ほぼ直線形状ではなくて、その中間部分１１ｄが背面板４側に向かってほぼＵ字状に屈曲している。なお、この場合とは逆に、ほぼループ形状の部分のうちの背面板４側の端部に沿って延びるアンテナパターン部分の中間部分が背面板４側とは反対側に向かってほぼＵ字状などに屈曲していてもよい。
【００２８】
上述の第２および第３の実施例によれば、アンテナパターン薄膜１１を必要に応じて各種の形状に変更することができる。
【００２９】
つぎに、図５に示す第４の実施例における棚板８について説明すると、棚板８は、第１のガラス基板１３と第２のガラス基板１４との間にリーダライタ用アンテナ１１を挟み込んだサンドイッチ構造に構成されている。図示の実施例においては、具体的には、まず、アンテナパターン薄膜１１が、第１の実施例の場合と同様にして、第１のガラス基板１３の内側面に形成される。ついで、第２のガラス基板１４が、アンテナパターン薄膜１１を覆うように、シリコーン接着剤、エポキシ接着剤などのうちの少なくとも１種から成るほぼ透明な接着剤１５などによって第１のガラス基板１３に貼り合わせられる。この場合、アンテナパターン薄膜１１の形状は、記述の第１〜第３の実施例のうちのいずれか１つの場合と実質的に同一であってもよいし、異なっていてもよい。また、第１および第２のガラス基板１３、１４は、接着剤ではなくて、ＰＶＢ（ポリビニルブチラール）、ポリウレタン樹脂などのうちの少なくとも１種から成るほぼ透明な合成樹脂フィルムなどによって互いに結合されていてもよい。さらに、第１のガラス基板１３の厚さと第２のガラス基板１４の厚さとは、互いにほぼ同一であってもよいし、図示の実施例におけるように互いに異なっていてもよい。
【００３０】
上述の第４の実施例によれば、棚板６〜８上に配置される商品との摩擦などによるアンテナパターン薄膜１１の擦傷をきわめて効果的に防止することができる。
【００３１】
（３）性能テスト
リーダライタ用アンテナ１１の性能をテストするために、つぎに記載するようなテスト用のアンテナパターン薄膜１１を作製した。基板（棚板）８には、厚さ０．７ｍｍのソーダライムシリカガラスを用いた。この基板８の上に、図１および図２に示す第１の実施例と同様の方法でもって、ＩＴＯ薄膜１１を成膜した。ＩＴＯ薄膜１１の表面抵抗率（オーム／□）、膜厚（ｎｍ）および線幅（ｍｍ）の組み合わせを変えて、基板８につぎの表１に示すように５種類のＩＴＯ薄膜１１を形成した。
【００３２】
【表１】
0004789178.tif 000002
【００３３】
上記表１において、ＩＴＯ薄膜１１の抵抗率（オーム／□）とは、ＩＴＯ薄膜１１の表面抵抗率（オーム／□）を意味している。また、アンテナ特性のうちの抵抗値（オーム）とは、ＩＴＯ薄膜から成るリーダライタ用アンテナ１１の両端子１１ａ、１１ｂ間の抵抗値（オーム）を意味している。さらに、アンテナ特性のうちのアンテナ部透過率（％）とは、基板（棚板）８とＩＴＯ薄膜１１との積層部分の透過率（％）を意味している。
【００３４】
この場合、ＩＴＯ薄膜１１によってワンループのループ型アンテナが作製されるようにしたが、このループ型アンテナ１１のほぼ長方形状のほぼループ形状の部分のループ内の部分（換言すれば、アンテナパターン１１のほぼ長方形状のほぼループ形状の部分によって囲まれる棚板６〜８の部分）１２が、図１および図２の場合とは異なって、８０ｍｍ×８０ｍｍになるようにした。そして、上記５種類のＩＴＯ薄膜によって作製されるアンテナパターン薄膜（すなわち、アンテナ線）の幅は、４０ｍｍ、２０ｍｍおよび１０ｍｍの３種類になるようにした。
【００３５】
このようにして得られたリーダライタ用アンテナ１１の性能を上記表１に示すように電子タグとの通信可能距離について評価した。３種類の電子タグＡ、Ｂ、Ｃを使用した。電子タグＡ、Ｂの大きさは４５×７６ｍｍであり、電子タグＣの大きさは２２．５×３８ｍｍであった。テスト用のアンテナパターン薄膜１１のそれぞれに０．３Ｗおよび１Ｗの電力をそれぞれ投入して、各電子タグと各アンテナパターン薄膜１１との間の通信可能な最大距離（ｍｍ）をそれぞれ測定した。この結果、アンテナＮｏ．１、Ｎｏ．２およびＮｏ．５のものでは、電子タグＡ、Ｂで１０ｍｍ以上、電子タグＣでも５ｍｍ以上の通信距離が得られたが、抵抗値が７０オームを超えるアンテナＮｏ．３およびＮｏ．４のものでは、通信が不能であった。
【００３６】
上記表１に示す通信可能距離に関する評価から、つぎの（ａ）項〜（ｄ）項に記載する事項が判明した。
（ａ）アンテナパターン薄膜１１が形成された部分における基板（棚板）６〜８の透過率は６０％以上（さらに好ましくは６５％以上）であるのが望まれる。
（ｂ）アンテナパターン薄膜１１の両端子１１ａ、１１ｂ間の抵抗値は、７０オーム以下であるのが望まれる。
（ｃ）アンテナパターン薄膜１１が形成されている部分と、アンテナパターン薄膜１１が形成されていない部分との透過率（全光線透過率）の差は、３０％以下であるのが好ましく、３０％よりも大きくなると、アンテナパターンが目立ちすぎるので、あまり好ましくない。
（ｄ）アンテナパターン薄膜１１を形成するためのＩＴＯ薄膜は、表面抵抗率７オーム／□以下の導電性を有するのが好ましい（なお、アンテナパターン薄膜を形成する材料は、ＩＴＯに限定されるものではなく、上記（ａ）項に記載の透過率および上記（ｂ）項に記載の抵抗値が得られる限り、ＳｎＯ２などの他の金属酸化物やＡｕ、Ａｇ、Ｐｔ、Ｃｕなどの金属から選択されたものであってもよい）。
【００３７】
このように棚板６〜８用の基板としてガラスを使用する場合には、棚板６〜８上に展示される商品の重量に耐えることができるように、基板６〜８の厚みを選定する必要がある。ただし、つぎの表２に示す透過特性テストの結果から、棚板６〜８の透過特性を維持するためには、棚板（基板）６〜８の厚みは、２０ｍｍ以下であるのが好ましく、１５ｍｍ以下であるのがさらに好ましいことが判る。
【００３８】
【表２】
0004789178.tif 000003
＊１段目：３ｍｍ厚のガラス天板の透過率
＊２段目：天板＋１段目のアンテナ付きガラス部分の透過率
＊３段目：天板＋１段目＋２段目のアンテナ付きガラス部分の透過率
【００３９】
図６には、上記表２における単板ガラス（第１〜第３の実施例の場合）単独および合わせガラス（第４の実施例）単独についてのガラスの総厚みと透過率との関係が、グラフとしても示されている。そして、この図６および上記表２から、ガラスの透過率は、単板ガラスでも２枚の合わせガラスでも、総厚みが実質的に同一であればほぼ同等であることが判る。また、１段目（天板５）、２段目（棚板７）および３段目（棚板８）を通して４段目（棚板６）上の商品が良好に視認できるようにするためには、上記表２における３段目の欄の透過率が６０％以上であることが望まれる。したがって、上記表２から、天板（１段目）５の厚みを３ｍｍとしたときの各棚板６〜８の厚みは、２０ｍｍ以下が好ましく、１５ｍｍ以下がさらに好ましいことが判る。
【００４０】
一方、各棚板６〜８の厚みの下限は耐荷重によって決まるが、この耐荷重は各棚板６〜８上に載置される商品や各棚板６〜８の面積などにも依存する。したがって、上記下限は、一概には決定しがたいが、耐荷重１５ｋｇ以上の通常の使用状態では、６ｍｍ以上であればよい。
【００４１】
以上において、本発明の第１〜第４の実施例について詳細に説明したが、本発明は、これらの実施例に限定されるものではなく、特許請求の範囲に記載された発明の趣旨に基づいて各種の変更および修正が可能である。
【００４２】
例えば、既述の第１〜第４の実施例においては、上下に３段の棚板６〜８をショーケース（換言すれば、物品棚）１に設けたが、棚板は、必ずしも上下に３段設けられる必要はなく、２段、４段以上などの別の複数段を上下に設けてもよく、場合によっては、１段だけでもよい。
【００４３】
また、既述の第１〜第４の実施例においては、最下段の棚板６もガラスなどからほぼ透明に構成したが、最下段の棚板６は、必ずしもほぼ透明である必要はなく、ガラスなどの板材の下面などに不透明な塗膜を形成したものや、合成樹脂、金属、木などの不透明な板材から構成されたものであってもよい。
【００４４】
また、既述の第１〜第４の実施例においては、天板５の厚みは、３ｍｍに特定されているが、必ずしも３ｍｍである必要はない。そして、天板５の厚みは、実用性の観点から見れば、１０ｍｍ以下であるのが好ましく、２〜６ｍｍの範囲であるのがさらに好ましい。また、天板５は、必要に応じて省略することもできる。
【００４５】
さらに、既述の第１〜第４の実施例において、ショーケース（換言すれば、物品棚）１の底部を支持するための支持台または複数本の支持脚を設けることができ、上記支持台は、物品収納庫を兼用することもできる。また、これらの支持台または支持脚は、ガラス、合成樹脂などからほぼ透明に構成されていてもよいし、合成樹脂、金属、木などから不透明に構成されていてもよい。
【図面の簡単な説明】
【００４６】
【図１】本発明をショーケースに適用した第１の実施例におけるショーケース全体の斜視図である。（実施例１）
【図２】図１に示すショーケースに用いられているリーダライタ用アンテナ付き棚板の上下をひっくり返した状態における斜視図である。（実施例１）
【図３】本発明をショーケースに適用した第２の実施例におけるリーダライタ用アンテナ付き棚板の下面図である。（実施例２）
【図４】本発明をショーケースに適用した第３の実施例におけるリーダライタ用アンテナ付き棚板の下面図である。（実施例３）
【図５】本発明をショーケースに適用した第４の実施例におけるリーダライタ用アンテナ付き棚板の縦断面図である。（実施例４）
【図６】図１〜図３に示すショーケースに用いられるガラスの総厚みと透過率との関係を示すグラフである。（実施例１〜４）
【符号の説明】
【００４７】
１      ショーケース
６      棚板兼用の底板
７      棚板
８      棚板
１１    リーダライタ用アンテナ（アンテナパターン薄膜およびＩＴＯ薄膜）
１３    第１のガラス基板
１４    第２のガラス基板
【図１】
0004789178.tif 000004
【図２】
0004789178.tif 000005
【図３】
0004789178.tif 000006
【図４】
0004789178.tif 000007
【図５】
0004789178.tif 000008
【図６】
0004789178.tif 000009